(57)【要約】【課題】カメラ本体に安定的に装着可能で把持性を有し、カメラ本体の小型化を阻害しないグリップ着脱機構を備えた撮像装置を提供すること。【解決手段】被係合部と係合することのできる係合部が形成され、係合部が被係合部と係合しない第１の位置、係合部が被係合部と係合し、グリップ部材と撮像装置との間に隙間が形成される第２の位置、係合部と被係合部とが係合し、第２の位置より隙間が小さくなる第３の位置に移動する移動部材と、一部分がグリップ装着部の投影面内に配置され、移動部材と係合することで移動部材を第１の位置に保持する保持部材と、移動部材を第３の位置に向けて付勢する付勢部材と、を有し、グリップ部材がグリップ装着部に装着されることで、保持部材と移動部材との係合が外れ、付勢部材の付勢力によって移動部材が第１の位置から第２の位置に移動し、その後、移動部材を第２の位置から第３の位置に移動させる。【選択図】図４
2015118129.tif 000002
【特許請求の範囲】
【請求項１】
被係合部が形成されるグリップ部材を着脱可能なグリップ装着部が形成される撮像装置であって、
前記被係合部と係合することのできる係合部が形成され、前記係合部が前記被係合部と係合しない第１の位置、前記係合部が前記被係合部と係合し、前記グリップ部材と前記撮像装置との間に隙間が形成される第２の位置、前記係合部と前記被係合部とが係合し、前記第２の位置より前記隙間が小さくなる第３の位置に移動する移動部材と、
一部分が前記グリップ装着部の投影面内に配置され、前記移動部材と係合することで前記移動部材を前記第１の位置に保持する保持部材と、
前記移動部材を前記第３の位置に向けて付勢する付勢部材と、を有し、
前記グリップ部材が前記グリップ装着部に装着されることで、前記保持部材と前記移動部材との係合が外れ、前記付勢部材の付勢力によって前記移動部材が前記第１の位置から前記第２の位置に移動し、その後、前記移動部材を前記第２の位置から前記第３の位置に移動させることを特徴とする撮像装置。
【請求項２】
開閉可能な蓋体を有し、
前記蓋体が閉状態となるときに、前記蓋体で覆われる部分に前記移動部材の操作部が配置され、
前記蓋体を開状態から前記閉状態にする際に、前記移動部材を前記第２の位置から前記第３の位置に移動させることを特徴とする請求項１に記載の撮像装置。
【請求項３】
前記操作部が操作されることで、前記付勢部材の付勢力に抗して前記移動部材が前記第２の位置から前記第１の位置に移動し、前記保持部材が前記移動部材と係合することを特徴とする請求項２に記載の撮像装置。
【請求項４】
前記グリップ装着部は、前記撮像装置の前面に形成され、
前記蓋体は、前記撮像装置の底面に形成されていることを特徴とする請求項２または３に記載の撮像装置。
【請求項５】
前記蓋体は、バッテリを収納可能なバッテリ収納部を開閉する蓋体であることを特徴とする請求項２から４のいずれか１項に記載の撮像装置。
【発明の詳細な説明】
【技術分野】
【０００１】
本発明は、使用時に本体を把持するためのグリップを着脱可能な撮像装置に関する。
【背景技術】
【０００２】
従来のミラーレスタイプを含む一眼レフカメラは、撮影の目的に応じて光学仕様の異なるレンズを選択的に装着することが可能となっている。通常、一眼レフカメラには、本体を小型化するために小型の凸形状であるグリップが取り付けられている。しかし、大型のレンズを装着する際には、レンズ部の重量が重くカメラのバランスが悪くなるため、小型のグリップを使用した場合、凸形状への指への掛かりが弱く把持性能が低下する。
【０００３】
そこで、大型レンズ装着時にもグリップの凸形状への指掛かりを良くし把持性能を高めるために、カメラ底面に設けられた三脚取り付けねじ部に螺合するねじを締めつけることでカメラに着脱可能なグリップアダプタが提案されている（特許文献１）。
【先行技術文献】
【特許文献】
【０００４】
【特許文献１】特開２０００−３５００７３号公報
【発明の概要】
【発明が解決しようとする課題】
【０００５】
特許文献１では、三脚取り付けねじ部から離れたグリップ先端側が固定されていないため、グリップ先端側の固定が十分とは言えず、グリップの把持においてユーザが不安に感じることがあり得る。また、三脚取り付けねじ部に螺合するねじを締め付けるために工具を必要とするため、着脱操作性が悪い。工具を使用しないで手で操作可能にする場合、ねじ頭を手で回転操作、締め付け、緩めを行える程度にねじ頭を大きくする必要があるので、小型化を阻害してしまう。また、グリップアダプタのベース部をカメラ本体底面部に設けているため、グリップの把持に必要のない形状で装着状態が大型化されてしまう。
【０００６】
このような課題を鑑みて、本発明は、カメラ本体に安定的に装着可能で最適な把持性能を有し、カメラ本体の小型化を阻害しないグリップ着脱機構を備えた撮像装置を提供することを目的とする。
【課題を解決するための手段】
【０００７】
本発明の一側面としての撮像装置は、被係合部が形成されるグリップ部材を着脱可能なグリップ装着部が形成される撮像装置であって、前記被係合部と係合することのできる係合部が形成され、前記係合部が前記被係合部と係合しない第１の位置、前記係合部が前記被係合部と係合し、前記グリップ部材と前記撮像装置との間に隙間が形成される第２の位置、前記係合部と前記被係合部とが係合し、前記第２の位置より前記隙間が小さくなる第３の位置に移動する移動部材と、一部分が前記グリップ装着部の投影面内に配置され、前記移動部材と係合することで前記移動部材を前記第１の位置に保持する保持部材と、前記移動部材を前記第３の位置に向けて付勢する付勢部材と、を有し、前記グリップ部材が前記グリップ装着部に装着されることで、前記保持部材と前記移動部材との係合が外れ、前記付勢部材の付勢力によって前記移動部材が前記第１の位置から前記第２の位置に移動し、その後、前記移動部材を前記第２の位置から前記第３の位置に移動させることを特徴とする。
【発明の効果】
【０００８】
本発明によれば、カメラ本体に安定的に装着可能で最適な把持性能を有しつつ、カメラ本体の小型化を阻害しないグリップ着脱機構を備えた撮像装置を提供することができる。
【図面の簡単な説明】
【０００９】
【図１】本発明の実施形態に係る撮像装置と、撮像装置に装着可能なレンズとグリップを表す図である。
【図２】撮像装置にグリップとレンズを装着した状態を表す図である。
【図３】撮像装置を底面側から見た斜視図である。
【図４】グリップ装着ユニットの分解斜視図である。
【図５】グリップ装着ユニットの構成図である。
【図６】保持部材の斜視図である。
【図７】グリップ装着ユニットの背面図である。
【図８】グリップ装着ユニットの要部の斜視図である。
【図９】グリップ装着ユニットの正面図である。
【図１０】小型グリップの説明図である。
【図１１】大型グリップの説明図である。
【図１２】グリップ装着ユニットを固定ビスによってバッテリ収納部に取り付ける状態を示す図である。
【図１３】グリップ装着ユニットの第１の状態を示す図である。
【図１４】グリップ装着ユニットの第２の状態を示す図である。
【図１５】グリップ装着ユニットの第２の状態を示す図である。
【図１６】グリップ装着ユニットの第３の状態を示す図である。
【図１７】グリップ取り外し時における要部の斜視図である。
【発明を実施するための形態】
【００１０】
以下、本発明の実施例について、図面を参照しながら詳細に説明する。各図において、同一の部材については同一の参照番号を付し、重複する説明は省略する。
【００１１】
図１は、本発明の実施形態に係る撮像装置と、撮像装置に着脱可能なレンズとグリップを表す図である。図２は、撮像装置にグリップとレンズを装着した状態を表す図である。図２（ａ）は小型の単焦点レンズに合わせて小型のグリップを装着した状態を表しており、図２（ｂ）は大型のズームレンズに合わせて大型のグリップを装着した状態を表している。
【００１２】
本実施形態では、撮像装置１０に、サイズの異なる小型の単焦点レンズ２０と、大型のズームレンズ３０を選択的に装着することができる。また、レンズの大きさに合わせて、撮像装置１０に、小型グリップ４０と、小型グリップ４０よりもサイズの大きな大型グリップ５０を、後述するグリップ装着ユニットによって、選択的に装着可能とすることで、最適な把持性能を発揮することが可能となる。
【００１３】
レンズの着脱方法については従来から広く採用されている方法であり詳細な説明は省略するが、バヨネット方式によってレンズをワンアクションで、簡単に装着することが可能となっている。また、レンズの取り外しは、ユーザの意図しない取り外しが行われないよう、ロック解除ボタンを押圧した状態で、レンズを回転して取り外す、２アクションの動作によって行うことができる。
【００１４】
図３は、撮像装置１０を底面側から見た斜視図である。
【００１５】
開閉可能なバッテリ蓋（蓋体）７０は、撮像装置１０のグリップ５０側の底面に設けられている。バッテリ収納部７０１は、撮像装置１０への電源供給用のバッテリ８０を収納可能である。
【００１６】
バッテリ蓋７０を図３（ａ）の矢印方向にスライド動作させることで、図３（ｂ）で示されるように、バッテリ蓋７０は開状態となる。このとき、バッテリ８０は、バッテリ収納部７０１に挿入可能となる。図３（ｃ）は、バッテリ８０をバッテリ収納部７０１に挿入した後の状態を示している。
【００１７】
以下、本実施形態におけるグリップ装着部について詳しく説明を行う。
【００１８】
図４は、グリップ装着ユニット６０の分解斜視図である。図４（ａ）はグリップ５０側から見た図で、図４（ｂ）はバッテリ収納部７０１側から見た図である。グリップ装着ユニット６０は、撮像装置１０の前面外装部１０１とバッテリ収納部７０１との間に配置されている。
【００１９】
グリップ装着ユニット６０は、ベース部材６０１と、第１の移動部材６０２と、第２の移動部材６０３と、付勢部材６０４と、保持部材６０５と、操作部材６０７と、固定ビス６０８、６０９を備えている。
【００２０】
ベース部材６０１は、合成樹脂材料によって箱形状に形成されている。ベース部材６０１には、軸６０１１と、大径頭部と小幅リブ部が連結したＴ字のボス６０１２と、ひっかけ爪６０１３が設けられている。
【００２１】
第１の移動部材６０２には、第１の係合部（第１の接触部）６０２１と、円柱状の凸形状の係合突起６０２５と、ひっかけ部６０２７と、ストッパ６２０８が設けられている。また、第１の移動部材６０２には、長孔６０２３と、小径長孔部と大径孔部が連結したカギ孔６０２４と、ビス穴６０２６が形成されている。カギ孔６０２４の大径孔部は、ベース部材６０１のＴ字のボス６０１２の大径頭部の径より大きくなるように形成されている。また、カギ孔６０２４の小径長孔部の溝幅は、Ｔ字のボス６０１２の小幅リブ部より大きくなるように形成されている。
【００２２】
第２の移動部材６０３には、第２の係合部（第２の接触部）６０３１と、軸部６０３４が設けられており、また、孔部６０３３が形成されている。
【００２３】
付勢部材６０４は、弾性を有するコイルバネ部６０４０と、コイルバネ部を挟んだ両側に設けられたＵ字形の第１のフック形状６０４１と、第２のフック形状６０４２で形成されている。
【００２４】
操作部材６０７には、第１の移動部材６０２に形成されたビス穴６０２６にビス固定するための穴６０７１が形成されている。また、操作部材６０７には、指先で操作するための第１操作部６０７２と、ボールペン等のペン先等で操作する第２操作部６０７３と、後述するバッテリ蓋７０の第１の当接部７０２と当接する第２の当接部６０７４が形成されている。
【００２５】
図５は、グリップ装着ユニット６０の構成図である。なお、図５は、グリップ装着ユニット６０をバッテリ収納部７０１側から見た図である。
【００２６】
図５（ａ）は、ベース部材６０１に第１の移動部材６０２と、第２の移動部材６０３を組み込んだ状態を示している。
【００２７】
第２の移動部材６０３は、ベース部材６０１に形成された軸６０１１が第２の移動部材６０３に形成された孔部６０３３に挿入されることで、軸６０１１を中心に回動自在に設けられている。
【００２８】
ベース部材６０１に形成されたＴ字のボス６０１２の大径頭部は、第１の移動部材６０２に形成されたカギ孔６０２４の大径孔部に合わせて挿入されている。また、第２の移動部材６０３に設けられた軸部６０３４は、第１の移動部材６０２に形成された長孔６０２３に挿入されている。
【００２９】
付勢部材６０４に形成された第１のフック形状６０４１は、ベース部材６０１に設けられたひっかけ爪６０１３に掛けられる。付勢部材６０４に形成された第２のフック形状６０４２は、付勢部材６０４のコイルバネ部６０４０の自然状態より引き伸ばされた状態で、第１の移動部材６０２に設けられたひっかけ部６０２７に掛けられる。
【００３０】
図５（ｂ）は、グリップ装着ユニット６０に付勢部材６０４が組み込まれた状態を示している。引き伸ばされたコイルバネ部６０４０の復元力により、第１の移動部材６０２および第２の移動部材６０３は、図５（ａ）に示す位置から図５（ｂ）に示す位置まで移動する。すなわち、第１の移動部材６０２が図５（ｂ）の矢印方向に移動し、第１の移動部材６０２に設けられたストッパ６０２８がベース部材６０１に設けられたストッパ６０１５に当接する位置まで移動する。
【００３１】
本実施形態では、第１の移動部材６０２に形成されたカギ孔６０２４の小径長孔部に、ベース部材６０１に設けられたＴ字のボス６０１２の小幅リブ部が係合することで、第１の移動部材６０２のスライド動作を規定している。また、本実施形態では、カギ孔６０２４の小径長孔部に対して、Ｔ字のボス６０１２の大径頭部の径を十分大きくしていることにより、図５（ｂ）に示す位置では、第１の移動部材６０２はベース部材６０１から脱落することなく、ベース部材６０１に保持される。
【００３２】
図６は、保持部材６０５の斜視図である。保持部材６０５は、弾性を有する金属薄板にて形成されている。保持部材６０５には、本体部分６０５１面に対して、ベース部材６０１側へ斜めに曲げられた規制部６０５２が形成されている。また、保持部材６０５には、グリップを挿入したときに、カメラ本体外側へ押し出す方向の付勢を与える第１のグリップ付勢部６０５３と第２のグリップ付勢部６０５４が形成されている。さらに、保持部材６０５には、ベース部材６０１をビス固定するビス穴６０５５が形成されている。
【００３３】
グリップ装着ユニット６０の動作について詳しく説明を行う。
【００３４】
図７は、グリップ装着ユニット６０の背面図、すなわち、グリップ装着ユニット６０をバッテリ収納部７０１側から見た図である。図８は、グリップ装着ユニット６０の要部の斜視図である。図７の状態は、図５に示された状態に保持部材６０５をベース部材６０１に取り付け、固定ビス６０８で固定した状態である。
【００３５】
本実施形態のグリップ装着ユニット６０では、第１の移動部材６０２と、第１の移動部材６０２にビス固定された操作部材６０７が上下に動作する。図７（ｂ）は、図７（ａ）の状態から第１の移動部材６０２と操作部材６０７を図７（ａ）の矢印方向に動作させた状態を表している。
【００３６】
図７（ａ）の状態において、保持部材６０５に設けられた規制部６０５２は、本体部分６０５１面に対して、ベース部材６０１側へ斜めに曲げられている。このため、ベース部材６０１に組み込まれると、規制部体６０５２は第１の移動部材６０２側に付勢される状態となる。すなわち、規制部６０５２は、図８（ａ）の矢印方向に付勢されている。このとき、規制部６０５２の面６０５２１が第１の移動部材６０２に設けられた係合突起６０２５の先端６０２５１に当接している。
【００３７】
第１の移動部材６０２と操作部材６０７が図７（ａ）の状態から図７（ｂ）の状態に移動する際に、第１の移動部材６０２は、係合突起６０２５の先端６０２５１が規制部６０５２の面６０５２１に当接した状態で移動する。
【００３８】
係合突起６０２５が規制部６０５２の端面６０５２２に至った所で、規制部６０５２は、規制部６０５２自身の付勢力によって、図７における紙面奥側方向に移動する。
【００３９】
すなわち、規制部６０５２は、図８（ａ）の矢印方向に変形し、図８（ｂ）に示す状態へと移行する。これによって、規制部６０５２の端面６０５２２と、係合突起６０２５が当接し、第１の移動部材６０２は図７（ｂ）の状態で保持される。
【００４０】
第１の移動部材６０２を図７（ａ）の状態から図７（ｂ）の状態に移動すると、第１の移動部材６０２の移動に連動して、第１の移動部材６０２に形成された長孔６０２３に係合された第２の移動部材に設けられた軸部６０３４も移動する。すなわち、第２の移動部材６０３は、軸６０１１を中心に、図５（ｂ）の状態から図５（ａ）の状態となるように、図５（ａ）の矢印方向に回転する。
【００４１】
本実施形態では、図７（ｂ）の状態で、規制部６０５２の面６０５２１を押圧し、規制部６０５２を係合突起６０２５の高さ分だけ紙面表側方向に移動させると、係合突起６０２５と規制部６０５２の端面６０５２２との当接が解除される。このとき、付勢部材６０４の付勢力によって第１の移動部材６０２が図中下方向に移動し、図７（ａ）の状態となる。
【００４２】
図９は、グリップ装着ユニット６０の正面図である。図９（ａ）と図９（ｂ）は、それぞれ図７（ａ）と図７（ｂ）を反対面側から見た状態である。第１の移動部材６０２および第２の移動部材６０３が第１の位置に位置するとき、図７（ａ）および図９（ａ）に示す状態となる。第１の移動部材６０２および第２の移動部材６０３が第３の位置に位置するとき、図７（ｂ）および図９（ｂ）に示す状態となる。
【００４３】
ベース部材６０１には、グリップ部材を装着可能なグリップ装着部６０１０が形成されている。図９（ａ）の状態では、第１の移動部材６０２に形成された第１の係合部６０２１と、第２の移動部材６０３に形成された第２の係合部６０３１と、がグリップ装着部６０１０の投影面内に位置している。図９（ｂ）の状態では、第１の移動部材６０２に形成された第１の係合部６０２１と、第２の移動部材６０３に形成された第２の係合部６０３１と、グリップ装着部６０１０の投影面内から退避している。
【００４４】
次に、撮像装置１０に選択的に装着可能なグリップ部材について詳しく説明を行う。
【００４５】
図１０は、小型グリップ４０の説明図である。図１０（ａ）は表側から見た斜視図、図１０（ｂ）は側面図、図１０（ｃ）は裏側から見た斜視図を表している。
【００４６】
小型グリップ４０には、本体カバー部４００と、取り付け板４２０が設けられている。取り付け板４２０の両端には、一対の被係合部４２１、４２２が形成されている。一対の被係合部４２１、４２２の内側には、当接面４２３、４２４がそれぞれ形成されている。また、取り付け板４２０には、第１の押圧面４２５と、第２の押圧面４２６と、第３の押圧面４２７が形成されている。第１の押圧面４２５は、保持部材６０５に形成された規制部６０５２の面６０５２１と当接する。第２の押圧面４２６は、保持部材６０５に設けられた第１のグリップ付勢部６０５３と当接する。第３の押圧面４２７は、保持部材６０５に設けられた第２のグリップ付勢部６０５４と当接する。
【００４７】
図１１は、大型グリップ５０の説明図である。図１１（ａ）は表側から見た斜視図、図１１（ｂ）は側面図、図１１（ｃ）は裏側から見た斜視図を表している。
【００４８】
大型グリップ５０は、摩擦係数が高い樹脂材料によって形成されたグリップ部５１と、グリップ装着ユニット６０への取り付け部となる金属板５２と、グリップ部５１と金属板５２を接続するビス５３によって構成されている。
【００４９】
金属板５２の両端には、一対の被係合部５２１、５２２が形成されている。被係合部５２１の内側には、当接面５２３が形成されている。被係合部５２２の内側には、当接面５２４が形成されている。また、金属板５２には、第１の押圧面５２５と、第２の押圧面５２６と、第３の押圧面５２７が形成されている。第１の押圧面５２５は、グリップ装着部６０１０の投影面内に配置される規制部６０５２の面６０５２３と当接する。すなわち、保持部材６０５に形成される規制部６０５２の面６０５２３は、グリップ装着部の投影面内に配置される保持部材の一部分として機能する。また、第２の押圧面５２６は、保持部材６０５に形成された第１のグリップ付勢部６０５３と当接する。第３の押圧面５２７は、保持部材６０５に形成された第２のグリップ付勢部６０５４と当接する。
【００５０】
次に、グリップ着脱時の動作について説明する。まず、グリップの装着動作について、説明を行う。本実施形態におけるグリップ装着は、グリップ部材をベース部材６０１のグリップ装着部６０１０に挿入することで行われる。
【００５１】
図１２は、グリップ装着ユニット６０を固定ビス６００１によってバッテリ収納部７０１に取り付ける状態を示す図である。
【００５２】
図１３は、グリップ装着ユニット６０の第１の状態を示す図である。グリップ装着ユニット６０は、図７（ｂ）、図８（ｂ）、図９（ｂ）に示される状態となっており、グリップを挿入可能な状態である。なお、図には、大型グリップ５０の金属板５２のみを示している。
【００５３】
図１３（ａ）は、グリップ装着ユニット６０の正面図である。なお、説明のため、ベース部材６０１を図示していない。図１３（ｂ）は、図１３（ａ）のグリップ装着ユニット６０に大型グリップ５０を挿入するときの状態を示している。図１３（ｃ）は図１３（ｂ）のＡ−Ａ部断面図で、図１３（ｄ）は図１３（ｃ）のｄ部拡大図、図１３（ｅ）は図１３（ｃ）のｅ部拡大図である。
【００５４】
大型グリップ５０をベース部材６０１に形成されたグリップ装着部６０１０に挿入すると、大型グリップ５０の第１の押圧面５２５がグリップ装着部６０１０から露出している規制部６０５２の面６０５２３を押し込む。そのため、第１の移動部材６０２に形成される係合突起６０２５と規制部６０５２の端面６０５２２との当接が解除され、規制部６０５２の面６０５２１上を係合突起６０２５が移動し、グリップ装着ユニット６０は図１４に示される状態となる。
【００５５】
図１４は、グリップ装着ユニット６０の第２の状態を示す図である。なお、図１４（ａ）〜（ｅ）には、大型グリップ５０の金属板５２のみを示している。
【００５６】
図１４（ａ）に示されるように、バッテリ蓋７０は、開状態となっている。図１４（ｂ）は図１４（ａ）のＡ１−Ａ１断面図、図１４（ｃ）は図１４（ｂ）のｃ部拡大図、図１４（ｄ）は図１４（ｂ）のｄ部拡大図、図１４（ｅ）は図１４（ａ）で示したＢ−Ｂ断面図、図１４（ｆ）は図１４（ｅ）のｆ部拡大図である。
【００５７】
また、図１４（ｇ）は図１４（ａ）に対して撮像装置１０と大型グリップ５０のグリップ部５１とグリップ装着ユニット６０のベース部材６０１を表示した正面図である。図１４（ｈ）は図１４（ｇ）のＡ２−Ａ２部断面図である。図１４（ｉ）は図１４（ｈ）のｊ部拡大図である。
【００５８】
第１の移動部材６０２に形成される係合突起６０２５と規制部６０５２の端面６０５２２との当接を解除すると、上述したように、第１の移動部材６０２は、付勢部材６０４の付勢力によって、図９（ａ）に示される位置まで移動しようとする。第１の係合部６０２１が金属板５２の上端に形成された被係合部５２１に当接し、第２の係合部６０３１が金属板５２の下端に形成された被係合部５２２に当接する状態で、第１の移動部材６０２および第２の移動部材６０３の移動が規制される。第１の移動部材６０２および第２の移動部材６０３が第２の位置に位置するとき、この状態となる。
【００５９】
本実施形態では、第１の係合部６０２１が被係合部５２１の当接面５２３に乗り上げるために必要な力と、第２の係合部６０３１が被係合部５２２の当接面５２４に乗り上げるために必要な力との合力は付勢部材６０４の付勢力より大きい。したがって、第１の移動部材６０２および第２の移動部材６０３は、付勢部材６０４の付勢力によって、第１の係合部６０２１が被係合部５２１に当接し、第２の係合部６０３１が被係合部５２２に当接する状態まで移動する。
【００６０】
第１の係合部６０２１が当接面５２３に乗り上げるための力と、第２の係合部６０３１が当接面５２４に乗り上げるための力との合力と、付勢部材６０４の付勢力とのバランスによって、第１の移動部材６０２と第２の移動部材６０３の移動が規制される。グリップ装着ユニット６０は図９（ｂ）の状態から図９（ａ）の状態となる途中の状態となる。
【００６１】
このとき、保持部材６０５に設けられた第１のグリップ付勢部６０５３と第２のグリップ付勢部６０５４が大型グリップ５０の金属板５２の第２の押圧面５２６と第３の押圧面５２７に当接している。そのため、大型グリップ５０は撮像装置１０から離れる方向に付勢され、大型グリップ５０の本体突き当て面５２８と撮像装置１０の突き当て面６０１４との間に隙間が形成されている。この段階でユーザが撮像装置１０を把持し、大型グリップ５０を握り込むと、大型グリップ５０の突き当て面５２８と撮像装置１０の突き当て面６０１４との間に形成された隙間の分だけ大型グリップ５０が沈み込んでしまう。
【００６２】
図１５は、グリップ装着ユニット６０の第２の状態を示す図であるが、図１５（ａ）に示されるように、バッテリ８０を出し入れ可能な図１４（ｇ）の状態からバッテリ蓋７０を撮像装置１０側へ回転しバッテリ収納部７０１の開口を塞いだ状態を示している。このとき、図１５（ａ）のｂ部拡大図である図１５（ｂ）に示されるように、バッテリ蓋７０に設けられた第１の当接部７０２と操作部材６０７に設けられた第２の当接部６０７４は当接していない。第１の移動部材６０２、第２の移動部材６０３および大型グリップ５０の金属板５２の位置関係は、図１４での位置関係と同じである。なお、図には、大型グリップ５０の金属板５２のみを示している。
【００６３】
図１６は、グリップ装着ユニット６０の第３の状態を示す図であり、大型グリップ５０の装着が完了した状態である。なお、図１６（ａ）〜図１６（ｅ）には、大型グリップ５０の金属板５２のみを示している。
【００６４】
図１６（ａ）は図１５（ａ）の状態から図１６（ａ）の矢印Ｇの方向へバッテリ蓋７０を移動した状態であり、バッテリ蓋７０が閉状態となっている。図１４（ｇ）のバッテリ蓋７０の開状態から図１５（ａ）のバッテリ蓋７０の位置を経由して図１６（ａ）のバッテリ蓋７０の閉状態への移動は、ユーザによる一連の動作で行われる。
【００６５】
図１６（ｂ）は図１６（ａ）のｂ部拡大図、図１６（ｃ）は図１６（ａ）で示したＡ−Ａ断面図、図１６（ｄ）は図１６（ｃ）のｄ部拡大図、図１６（ｅ）は図１６（ｃ）のｅ部拡大図である。また、図１６（ｇ）は、図１６（ｄ）の状態に大型グリップ５０のグリップ部５１とグリップ装着ユニット６０のベース部材６０１を表示した図である。
【００６６】
操作部材６０７が図１５（ａ）の位置から図１６（ａ）の位置へ移動することにより、図１６（ｂ）に示されるように、第１の当接部７０２と操作部材６０７に形成された第２の当接部６０７４が当接する。このとき、操作部材６０７は、図１５（ｂ）で示す状態に対し図１６（ｂ）の矢印方向へ移動している。同時に、第１の移動部材６０２が図１６（ａ）の矢印Ｈの方向へ移動する。また、第２の移動部材６０３が図１６（ａ）の矢印Ｊの方向へ回転移動する。このような移動により、大型グリップ５０の金属板５２の当接面５２３が第１の移動部材６０２の第１の係合部６０２１に当接する。大型グリップ５０の金属板５２の当接面５２４が第２の移動部材６０３の第２の係合部６０３１に当接する。このとき、金属板５２が図１６（ｆ）の矢印で示されるように撮像装置１０側に移動させられ、大型グリップ５０の突き当て面５２８が撮像装置１０の突き当て面６０１４と当接する。この段階でユーザが撮像装置１０を把持し、大型グリップ５０を握り込んでも、大型グリップ５０の突き当て面５２８と撮像装置１０の突き当て面６０１４に隙間がないため、大型グリップ５０が沈み込むことがない。
【００６７】
次に、図１７を用いて、グリップ部材の取り外し動作について説明する。図１７は、グリップ取り外し時における要部の斜視図である。
【００６８】
まず、バッテリ蓋７０を開くと、図１７に示されるように、バッテリ収納部７０１が露出した状態となる。このとき、第１の移動部材６０２にビス留めされた操作部材６０７が露出するので、ユーザによる操作部材６０７の図中の矢印方向（バッテリ８０の挿入方向と同一方向）への押し込み動作を行うことで、グリップ部材の取り外しが可能となる。
【００６９】
本実施形態の撮像装置では、グリップ部材の挿入とバッテリ蓋を閉じて本体にロックする２アクションでグリップの装着を行うことができる。また、バッテリ蓋を開けて、操作部を押し込む２アクションというレンズ交換と同程度の動作によってグリップの取り外しを行うことができる。
【００７０】
以上説明したように、本実施形態では、レンズ交換と同程度の手間で、レンズに合わせた最適なサイズのグリップを選択的に着脱が可能となる。これにより、大型のレンズを使用する際には大型グリップを、小型のレンズを使用する際には小型グリップを選択して装着することが可能となる。
【００７１】
また、グリップ装着時に撮像装置の突き当て面とグリップの突き当て面との間に隙間がないため、グリップ把持時にグリップ部材が沈み込むことがないため、本体の小型化と把持性能の両立が可能となる。
【００７２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００７３】
１０            カメラ本体
４０            小型グリップ
４２１、４２２  第１の被係合部
４２３、４２４  第２の被係合部
５０            大型グリップ
５２１、５２２  第１の被係合部
５２３、５２４  第２の被係合部
６０１０        グリップ装着部
６０２          第１の移動部材
６０２１        第１の係合部（第１の接触部）
６０３          第２の移動部材
６０３１        第２の係合部（第２の接触部）
６０４          付勢部材
【図１】
2015118129.tif 000003
【図２】
2015118129.tif 000004
【図３】
2015118129.tif 000005
【図４】
2015118129.tif 000006
【図５】
2015118129.tif 000007
【図６】
2015118129.tif 000008
【図７】
2015118129.tif 000009
【図８】
2015118129.tif 000010
【図９】
2015118129.tif 000011
【図１０】
2015118129.tif 000012
【図１１】
2015118129.tif 000013
【図１２】
2015118129.tif 000014
【図１３】
2015118129.tif 000015
【図１４】
2015118129.tif 000016
【図１５】
2015118129.tif 000017
【図１６】
2015118129.tif 000018
【図１７】
2015118129.tif 000019